(57)【要約】【課題】録画モードと記憶媒体の組み合わせによって生じる録画の失敗を防ぐ録画装置を提供すること【解決手段】番組に対して録画予約を設定する録画予約設定部と、複数の録画モードから前記録画予約設定部により録画予約が設定された番組の録画モードを選択する録画モード選択部と、複数の記憶媒体から前記録画予約設定部により録画予約が設定された番組の保存先を選択する記憶媒体選択部と、前記録画モード選択部及び前記記憶媒体選択部の一方により選択された録画モード又は記憶媒体に基づいて他方が選択可能な録画モード又は記憶媒体を制限する制限部と、を備える【選択図】図１
2015026886.tif 000002
【特許請求の範囲】
【請求項１】
番組に対して録画予約を設定する録画予約設定部と、
複数の録画モードから前記録画予約設定部により録画予約が設定された番組の録画モードを選択する録画モード選択部と、
複数の記憶媒体から前記録画予約設定部により録画予約が設定された番組の保存先を選択する記憶媒体選択部と、
前記録画モード選択部及び前記記憶媒体選択部の一方により選択された録画モード又は記憶媒体に基づいて他方が選択可能な録画モード又は記憶媒体を制限する制限部と、
を備える録画装置
【請求項２】
前記制限部は前記録画モード選択部によって選択された録画モードのビットレートに基づいて前記記憶媒体選択部が選択可能な記憶媒体を制限し、又は、前記記憶媒体選択部により選択された記憶媒体の通信速度に基づいて前記録画モード選択部が選択可能な記憶媒体を制限する請求項１に記載の録画装置。
【請求項３】
前記複数の記憶媒体の通信速度を定期又は不定期に計測する計測部を備える請求項１又は請求項２に記載の録画装置。
【請求項４】
番組に対して録画予約を設定するための設定画面を生成するＯＳＤ生成部を備え、前記ＯＳＤ生成部は前記録画モード選択部が選択可能な録画モード及び前記記憶媒体選択部が選択可能な記憶媒体を選択可能に表示した設定画面を生成する請求項１〜請求項３のいずれか１項に記載の録画装置。
【請求項５】
前記ＯＳＤ生成部は前記録画モード選択部が選択不能な録画モード及び前記記憶媒体選択部が選択不能な記憶媒体を選択不能に表示し、或いは非表示とした設定画面を生成する請求項１〜請求項４のいずれか１項に記載の録画装置。
【請求項６】
前記制限部は前記記憶媒体選択部により選択された記憶媒体の空き容量に基づいて前記記憶媒体選択部が選択可能な記憶媒体又は前記録画モード選択部が選択可能な録画モードを制限する請求項１〜請求項５のいずれか１項に記載の録画装置。
【発明の詳細な説明】
【技術分野】
【０００１】
本発明は、録画装置に関する。
【背景技術】
【０００２】
従来より地上デジタル放送番組等を録画可能な録画装置が広く普及している。それら録画装置の中には、録画を行う際に複数の録画モードから所望の録画モードを選択して録画を実行することができるものがある。録画モードとしては、映像データを変換せずにＭＰＥＧ２−ＴＴＳ方式で録画するＤＲモード、映像データを再圧縮変換してＡＶＣ方式で録画するＡＦ〜ＡＥモード、映像データを標準画質にダウンコンバートしてＭＰＥＧ２−ＰＳ方式で録画するＸＰ〜ＥＰモード等がある。
【０００３】
録画のビットレートは録画モードによって異なり、ビットレートの高い録画モードを選択して録画することで、ビットレートの低い録画モードを選択して録画するよりも映像を高画質に録画することができる。
【０００４】
番組を録画する際、録画番組の保存先（記憶先）はＨＤＤ等の記憶媒体である。記憶媒体としては内蔵或いは外付けの記憶媒体が使用され、録画装置が複数の記憶媒体を有する場合にユーザは任意の記憶媒体を録画番組の保存先に選択できる。
【０００５】
ところで記憶媒体はインターフェースの通信速度が当初より高ビットレートの録画モードでの録画に対応していない場合がある。また、当初充分な通信速度を有していても、記憶媒体への情報の書込及び消去を繰り返すことによる劣化により通信速度が低下して高ビットレートの録画モードでの録画に対応できなくなることがある。そして、通信速度の低い記憶媒体が保存先に選択された状態で、高ビットレートの録画モードでの録画が実行されると、番組の録画に失敗することがある。
【先行技術文献】
【特許文献】
【０００６】
【特許文献１】特開２００９−７７０４４号公報
【発明の概要】
【発明が解決しようとする課題】
【０００７】
特許文献１には接続時に記憶媒体の通信速度を測定し、通信速度が記録・再生可能なレートでなければ使用を不可とすることが開示されている。言い換えれば特許文献１は接続時に通信速度の遅い記憶媒体は以後、記憶媒体として使用しないとするものである。従って、録画モードと記憶媒体の組み合わせによって生じる録画の失敗を防ぐものではない。
【０００８】
本発明は上述した問題点に鑑み、録画モードと記憶媒体の組み合わせによって生じる録画の失敗を防ぐ録画装置を提供すること目的とする。
【課題を解決するための手段】
【０００９】
上記目的を達成するために本発明の録画装置は、番組に対して録画予約を設定する録画予約設定部と、複数の録画モードから前記録画予約設定部により録画予約が設定された番組の録画モードを選択する録画モード選択部と、複数の記憶媒体から前記録画予約設定部により録画予約が設定された番組の保存先を選択する記憶媒体選択部と、前記録画モード選択部及び前記記憶媒体選択部の一方により選択された録画モード又は記憶媒体に基づいて他方が選択可能な録画モード又は記憶媒体を制限する制限部と、を備える。
【００１０】
また上記構成の録画装置において、前記制限部は前記録画モード選択部によって選択された録画モードのビットレートに基づいて前記記憶媒体選択部が選択可能な記憶媒体を制限し、又は、前記記憶媒体選択部により選択された記憶媒体の通信速度に基づいて前記録画モード選択部が選択可能な記憶媒体を制限することが望ましい。
【００１１】
また上記構成の録画装置において、前記複数の記憶媒体の通信速度を定期又は不定期に計測する計測部を備えることが望ましい。
【００１２】
また上記構成の録画装置において、番組に対して録画予約を設定するための設定画面を生成するＯＳＤ生成部を備え、前記ＯＳＤ生成部は前記録画モード選択部が選択可能な録画モード及び前記記憶媒体選択部が選択可能な記憶媒体を選択可能に表示した設定画面を生成することが望ましい。
【００１３】
また上記構成の録画装置において、前記ＯＳＤ生成部は前記録画モード選択部が選択不能な録画モード及び前記記憶媒体選択部が選択不能な記憶媒体を選択不能に表示し、或いは非表示とした設定画面を生成することが望ましい。
【００１４】
また上記構成の録画装置において、前記制限部は前記記憶媒体選択部により選択された記憶媒体の空き容量に基づいて前記記憶媒体選択部が選択可能な記憶媒体又は前記録画モード選択部が選択可能な録画モードを制限することが望ましい。
【発明の効果】
【００１５】
本発明によれば、番組の録画に際して複数の録画モード及び保存先として複数の記憶媒体が選択可能である。そして、録画設定時に録画モード及び記憶媒体の一方が選択された場合に、状況に応じて他方の選択を制限する。当該構成により録画モードと記憶媒体の組み合わせによって生じる録画の失敗が防がれる。
【図面の簡単な説明】
【００１６】
【図１】第１実施形態の録画装置の構成の一例を示すブロック図
【図２】第１実施形態の録画装置の制御部が実行する処理の一例を示すフローチャート
【図３】ＵＳＢＨＤＤ−１の時間帯と選択可能な録画モードとの対応表の第１例を示す図
【図４】ＨＤＤ−１の時間帯と選択可能な録画モードとの対応表を示す図
【図５】第２実施形態の録画装置の制御部が実行する処理の一例を示すフローチャート
【図６】初期状態の設定画面を示す図
【図７】第３実施形態の録画装置の制御部が実行する処理の一例を示すフローチャート
【図８】選択変更後の設定画面の第１例を示す図
【図９】ＵＳＢＨＤＤ−１の時間帯と選択可能な録画モードとの対応表の第２例を示す図
【図１０】第４実施形態の録画装置の制御部が実行する処理の一例を示すフローチャート
【図１１】選択変更後の設定画面の第２例を示す図
【図１２】ＨＤＤ−２の時間帯と選択可能な録画モードとの対応表を示す図
【図１３】第５実施形態の録画装置の制御部が実行する処理の一例を示すフローチャート
【発明を実施するための形態】
【００１７】
＜第１実施形態＞
以下本実施形態の録画装置について図１を参照して説明する。以下に示す実施形態は、本発明の技術的思想を具体化するために録画装置の一例を示すものであって、本発明をこの録画装置に特定することを意図するものではなく、特許請求の範囲に含まれるその他の実施形態の装置にも等しく適応し得るものである。
【００１８】
図１は本実施形態の録画装置の構成の一例を示すブロック図である。チューナ３はアンテナ２の出力信号（以下、「アンテナ２の出力信号」を「放送信号」と称することもある。）を取得する。圧縮・伸張回路４はデコーダ４１及びエンコーダ４２を有する。デコーダ４１はチューナ３から入力される放送信号や後述する各記憶媒体に記憶されているコンテンツのデータ信号に対してデコード処理を行って映像信号を再生する。エンコーダ４２はデコーダ４１によって再生された映像信号を指定された１個の記憶媒体に適した圧縮方法と圧縮率で圧縮してその記憶媒体に対して出力する。
【００１９】
ＳＤコントローラ５はＳＤインターフェース（ＳＤ  Ｉ／Ｆ）６を介して外部の記憶媒体であるＳＤメモリカードとの間でコンテンツのデータ信号の入出力を行う。図１でＳＤコントローラ５及びＳＤ  Ｉ／Ｆ６は共に一つずつ備える構成としているが、数は例示であり、これに限られるものではない。以降の記憶媒体においても各記憶媒体の数は例示であって各数に限られるものではない。
【００２０】
２個のＵＳＢコントローラ７（図１では夫々ＵＳＢコントローラ７ａ、７ｂ）は夫々ＵＳＢインターフェース（ＵＳＢ  Ｉ／Ｆ）８（図１では夫々ＵＳＢ  Ｉ／Ｆ８ａ、８ｂ）を介して外部記憶媒体であるＵＳＢメモリ（例えば外付けＨＤＤ）との間でコンテンツのデータ信号の入出力を行う。
【００２１】
２個のＳＡＴＡコントローラ９（図１では夫々ＳＡＴＡコントローラ９ａ、９ｂ）は夫々ＳＡＴＡインターフェース（ＳＡＴＡ  Ｉ／Ｆ）１０（図１では夫々ＳＡＴＡ  Ｉ／Ｆ１０ａ、１０ｂ）を介して内蔵記憶媒体であるＳＡＴＡＨＤＤ（図６及び図１１で示すＨＤＤ−１及びＨＤＤ−２）との間でコンテンツのデータ信号の入出力を行う。
【００２２】
ＰＡＴＡコントローラ１１はＰＡＴＡインターフェース（ＰＡＴＡ  Ｉ／Ｆ）１２を介して内蔵記憶媒体であるＩＤＥＨＤＤとの間でコンテンツのデータ信号の入出力を行う。
【００２３】
光学ドライブ１３は外部記憶媒体である光ディスク（ＢＤやＤＶＤ）に対してデータの記録及び再生を行う。
【００２４】
ここで、本実施形態の録画装置１は１個の記憶媒体又は複数の記憶媒体に対して同時にテレビ番組を録画可能である。従って、同時に録画可能な番組数に応じてチューナ３を備え、圧縮・伸張回路４もチューナ３と同数備える。言い換えれば、録画装置１はチューナ３と圧縮・伸張回路４とのセットを複数セット有する。
【００２５】
映像処理部１４はＯＳＤ生成部１５から出力されたＯＳＤ信号が入力されたときに映像信号にＯＳＤ信号を重畳した映像信号を生成しディスプレイでの表示に適した映像信号に変換してディスプレイに出力する。ＯＳＤ生成部１５は文字や図形等のＯＳＤ画面を生成し、生成したＯＳＤ画面を信号化したＯＳＤ信号を映像処理部１４に出力する。
【００２６】
制御部１６は放送受信装置１全体を制御する制御手段である。制御部１６は録画予約設定部１６１、録画モード選択部１６２、記憶媒体選択部１６３、制限部１６４を有する。なお本実施形態では説明の簡略化のために一の制御部１６が制御部１６は録画予約設定部１６１、録画モード選択部１６２、記憶媒体選択部１６３、制限部１６４を有する構成を示すが、夫々を異なる制御部が有する構成であってもよい。
【００２７】
録画予約設定部１６１は指定された番組に対して録画予約を設定する。番組の指定はユーザの操作に基づいて指定し、或いは、ユーザにより定められた基準（例えば番組ジャンルや番組タイトル名）に応じて指定すべき番組を特定して指定する。
【００２８】
録画モード選択部１６２は複数の録画モードから録画予約設定部１６１により録画予約が設定された番組の録画モードを選択する。録画モードとは番組を録画する際の映像の画質である。録画モードには映像データを変換せずにＭＰＥＧ２−ＴＴＳ方式で録画するＤＲモード、映像データを再圧縮変換してＡＶＣ方式で録画するＡＦ〜ＡＥモード（図８参照）、映像データを標準画質にダウンコンバートしてＭＰＥＧ２−ＰＳ方式で録画するＸＰ〜ＥＰモード（図８参照）の合計１０種類の録画モードがある。なお、上記録画モードは例示であって、録画モードの種類はこれらに限られるものではない。
【００２９】
記憶媒体選択部１６３は複数の記憶媒体から録画予約設定部１６１により録画予約が設定された番組の保存先を選択する。本実施形態では記憶媒体として上述した各Ｉ／Ｆに接続されるＳＤメモリカード、２個のＵＳＢメモリ、３個の内蔵ＨＤＤ、光ディスクの合計７個の記憶媒体を備える。なお、上記記憶媒体は例示であって、記憶媒体の種類はこれらに限られるものではない。
【００３０】
制限部１６４は上述した１０種類の録画モードにおいて録画モード選択部１６２が選択可能な録画モードを制限し、或いは、上述した７個の記憶媒体において記憶媒体選択部１６３が選択可能な記憶媒体を制限する。制限部１６４が行う処理の詳細については後述する。
【００３１】
メモリ１７は不揮発性のメモリであり、後述する計測部１８の計測結果及び各記憶媒体の時間帯と選択可能な録画モードとの対応表が記憶される。
【００３２】
計測部１８は各記憶媒体の通信速度を定期又は不定期に計測する。本実施形態で通信速度として、少なくとも記憶媒体に書き込む際の書込速度を計測し、さらに、記憶媒体からデータを読み出す際の読出速度も計測することとしてもよい。
【００３３】
以下、本実施形態の録画装置１の制御部１６が実行する処理について図２を参照して説明を行う。図２は本実施形態の録画装置１の制御部１６が実行する処理の一例を示すフローチャートであり、具体的には各情報記憶媒体の通信速度の計測に関する処理の一例を示すフローチャートである。
【００３４】
ステップＳ０１において制御部１６は現在時刻（Ｔ１）が所定時刻（Ｔ２〜Ｔ３）の範囲内であるか否かを判定する。すなわち、各情報記憶媒体の通信速度の計測は、それ自体負荷がかかり、同一の記憶媒体に対して同時間帯に番組の録画等の処理と通信速度の計測処理を実行すると番組の録画処理に悪影響を与える（通信速度が不足して録画が失敗する）可能性がある。そこで制御部１６は現在時刻が一般的に番組の録画が実行されない深夜時間帯（例えばＴ２＝午前２時、Ｔ３＝午前５時が例示される）の範囲内であるか否かを判定する。
【００３５】
現在時刻が所定時刻の範囲内であれば（ステップＳ０１のＹ）ステップＳ０２に進み、現在時刻が所定時刻の範囲内でなければ（ステップＳ０１のＮ）ステップＳ０１に戻る。
【００３６】
ステップＳ０２において制御部１６は各記憶媒体に対して書込テスト及び読込テストを実行して計測部１８に各記憶媒体の通信速度を計測させる。通信速度としては各記憶媒体にデータを書き込んだ際の書込速度を計測する。また、制御部１６は各記憶媒体に単一のデータを書き込むことで計測部１８に通信速度を計測させるのに加え、同時に複数のデータを書き込むことで生じる通信速度の減衰を計測する。
【００３７】
ステップＳ０３において制御部１６はステップＳ０２において計測された各記憶媒体の通信速度を示す情報をメモリ１７に記憶する。また、加えて制御部１６は図３及び図４に示すような各記憶媒体の時間帯と選択可能な録画モードとの対応表をメモリ１７に記憶する。
【００３８】
図３はＵＳＢ  Ｉ／Ｆ８ａに接続されるＵＳＢＨＤＤ−１の時間帯と選択可能な録画モードとの対応表であり、図４はＳＡＴＡ  Ｉ／Ｆ１０ａに接続されるＨＤＤ−１の時間帯と選択可能な録画モードとの対応表である。図３において８：００、９：００、１２：００、１３：００、１４：００、１６：００の時間帯ではＵＳＢＨＤＤ−１を保存先とする録画予約設定がなされておらず、新たにＵＳＢＨＤＤ−１を保存先とする録画予約設定を行う場合には全ての録画モードに対応可能である。
【００３９】
これに対して１０：００及び１１：００では例えば既に録画モードをＡＮに指定した録画予約が設定されており、当該録画予約に加えて新たにＵＳＢＨＤＤ−１を保存先とする録画予約設定を行う場合にはＡＳ、ＡＬ、ＡＥ、ＳＰ、ＬＰ、ＥＰに対応可能であることを示している。また、１５：００では例えば既に録画モードをＤＲに指定した録画予約が設定されており、当該録画予約に加えて新たにＵＳＢＨＤＤ−１を保存先とする録画予約設定を行う場合にはＡＥ及びＥＰに対応可能であることを示している。
【００４０】
図４において８：００、９：００、１２：００、１３：００、１４：００、１６：００の時間帯ではＨＤＤ−１を保存先とする録画予約設定がなされていないが、新たにＨＤＤ−１を保存先とする録画予約設定を行う場合に対応可能な録画モードはＡＳ、ＡＬ、ＡＥ、ＳＰ、ＬＰ、ＥＰである。つまりＨＤＤ−１は高ビットレートの録画モードでの録画に対応していない記憶媒体である。
【００４１】
そして１０：００及び１１：００では例えば既に録画モードをＡＥに指定した録画予約が設定されており、当該録画予約に加えて新たにＨＤＤ−１を保存先とする録画予約設定を行う場合にはＡＥが対応可能であることを示している。また、１５：００では例えば既に録画モードをＡＳに指定した録画予約が設定されており、当該録画予約に加えて新たにＨＤＤ−１を保存先とする録画予約設定を行おうとする場合にいずれの録画モードであっても録画ができないことを示している。
【００４２】
制御部１６は図３及び図４に示すような対応表を記憶媒体毎にメモリ１７に記憶させることで、対応表に基づいて選択可能な記憶媒体或いは選択可能な録画モードを即座に制限することができる。
【００４３】
本実施形態によれば、記憶媒体毎に通信速度を測定して、各記憶媒体の通信速度を示す情報及び各記憶媒体の時間帯と選択可能な録画モードとを示す対応表をメモリに保存する。当該処理を定期或いは不定期に行うことにより、各記憶媒体の現在の通信速度を把握することができる。
【００４４】
＜第２実施形態＞
本実施形態の録画装置１の制御部１６が実行する処理について図５を参照して説明を行う。図５は本実施形態の録画装置１の制御部１６が実行する処理の一例を示すフローチャートであり、具体的には第１実施形態でメモリ１７に記憶させた対応表に基づいて実行する処理の一例を示すフローチャートである。
【００４５】
ステップＳ１１において制御部１６は録画予約設定が開始されたか否かを判定する。録画予約設定が開始されたか否かは例えばユーザがリモコンの録画予約設定ボタンを押下した場合や、画面に表示されたテレビ番組表内の特定の番組について録画予約が実行された場合に録画予約設定が開始されたと判定する。録画予約設定が開始されていれば（ステップＳ１１のＹ）ステップＳ１２に進み、録画予約設定が開始されていなければ（ステップＳ１１のＮ）ステップＳ１１に戻る。
【００４６】
ステップＳ１２において制御部１６は設定画面の表示が記憶媒体優先モードか録画モード優先モードかを判定する。記憶媒体優先モードであれば（ステップＳ１２のＹ）ステップＳ１３に進み、録画モード優先モードであればステップＳ１６に進む。なお、優先モードとは録画予約の初期状態の設定画面において、記憶媒体と録画モードのいずれに基づいて他方を制限するかを規定するものである。記憶媒体優先モードでは初期状態の設定画面に表示する記憶媒体を同一の記憶媒体とし、録画モード優先モードでは初期状態の設定画面に表示する録画モードを同一の録画モードとする。
【００４７】
ステップＳ１３において制御部１６の記憶媒体選択部１６３は初期状態において選択することが予め定められた記憶媒体を選択する。そしてステップＳ１４において制御部１６の制限部１６４はステップＳ１３において選択された記憶媒体に基づいて録画モード選択部１６２が選択可能な録画モードを制限する。ステップＳ１５において録画モード選択部１６２は選択可能な録画モードの中から、１の録画モードを選択する。
【００４８】
なお、ステップＳ１５において録画モード選択部１６２が選択する録画モードは、例えば録画モードに優先順位が設定されていれば選択可能な録画モードの中で優先順位が最も高いものを選択することとしてもよいし、選択可能な録画モードからランダムに選択することとしてもよい。
【００４９】
一方、ステップＳ１６において制御部１６の録画モード選択部１６２は初期状態において選択することが予め定められた録画モードを選択する。そしてステップＳ１７において制御部１６の制限部１６４はステップＳ１６において選択された録画モードに基づいて記憶媒体選択部１６３が選択可能な記憶媒体を制限する。ステップＳ１７において記憶媒体選択部１６３は選択可能な記憶媒体の中から、１の記憶媒体を選択する。
【００５０】
なお、ステップＳ１７において記憶媒体選択部１６３が選択する記憶媒体は、例えば記憶媒体に優先順位が設定されていれば選択可能な記憶媒体の中で優先順位が最も高いものを選択することとしてもよいし、選択可能な記憶媒体からランダムに選択することとしてもよい。
【００５１】
ステップＳ１９において制御部１６はＯＳＤ生成部１５に録画予約設定を行うための設定画面を生成させて映像処理部１４に出力させる。また、制御部１６は映像処理部１４を制御して映像信号にＯＳＤ生成部１５から取得したＯＳＤ信号を重畳させて設定画面をディスプレイに表示させる。その際、設定画面には上記各ステップで選択された記憶媒体及び録画モードがデフォルトとして表示される。
【００５２】
図６を参照して具体的に説明する。図６に示す設定画面では記憶媒体優先モードが設定されており、初期状態においては常にＨＤＤ−１が記憶媒体として選択されて表示される。例えば図４を参照して１０：００〜１１：００に放送される番組の録画予約を設定するとすると、制限部１６４は録画モード選択部１６２により選択可能な録画モードをＡＥ及びＥＰに制限する。
【００５３】
録画モード選択部１６２が選択する録画モードの優先順位がＥＰよりもＡＥの方が高い場合は、図６に示すようにＡＥが選択されて設定画面に表示される。
【００５４】
本実施形態によれば、録画予約設定を行う際の初期状態の設定画面において記憶媒体と録画モードのいずれか一方に基づいて他方が制限される。つまり高ビットレートの録画モードでの録画に対応していない記憶媒体で高ビットレートの録画が実行されないので、録画の失敗を防ぐことができる。
【００５５】
＜第３実施形態＞
本実施形態の録画装置１の制御部１６が実行する処理について図７を参照して説明を行う。図７は本実施形態の録画装置１の制御部１６が実行する処理の一例を示すフローチャートである。第２実施形態では初期状態の設定画面を表示する際の処理について説明したが、本実施形態は設定画面が表示された後に、ユーザにより記憶媒体が変更選択された場合に実行する処理について説明する。
【００５６】
ステップＳ２１において制御部１６は録画予約を設定するための設定画面を表示する。設定画面を表示するまでの処理は上述した第２実施形態と同様である。
【００５７】
ステップＳ２２において制御部１６はステップＳ２１で表示した設定画面において記憶媒体の選択が変更されたか否かを判定する。例えば図６に示すように初期状態としてＨＤＤ−１が選択されていたものをユーザがＵＳＢＨＤＤ−１に変更した場合、記憶媒体の選択が変更されたと判定する。記憶媒体の選択が変更された場合（ステップＳ２２のＹ）はステップＳ２３に進み、記憶媒体の選択が変更されていない場合（ステップＳ２２のＮ）はステップＳ２６に進む。
【００５８】
ステップＳ２３において制御部１６の制限部１６４は録画モード選択部１６２により選択可能な録画モードを制限する。具体的には例えば１０：００〜１１：００に放送される番組の録画予約を設定するとすると、記憶媒体がＵＳＢＨＤＤ−１に変更された場合は図３を参照して制限部１６４は録画モード選択部１６２により選択可能な録画モードをＡＳ、ＡＬ、ＡＥ、ＳＰ、ＬＰ、ＥＰに制限する。
【００５９】
ステップＳ２４において制御部１６はＯＳＤ生成部１５を制御して、図８に示すようにステップＳ２３において特定された選択可能な録画モードを設定画面に選択可能に表示する。選択が制限された録画モードに関しては図８に示すようにグレイアウト表示して選択不能に表示することとしてもよいし、表示しないこととしてもよい。選択不能に表示し、或いは非表示とすることでその録画モードを選択することができなくなるので録画の失敗を防ぐことができる。
【００６０】
ステップＳ２５において制御部１６はユーザの操作に基づいて録画モード選択部１６２が録画モードを選択したか否かを判定する。録画モードを選択していれば（ステップＳ２５のＹ）ステップＳ２６に進み、録画モードを選択していなければ（ステップＳ２５のＮ）ステップＳ２５に戻る。
【００６１】
ステップＳ２６において制御部１６は録画予約設定が終了したか否かを判定する。録画予約設定の終了は例えば図７に示す設定画面において「確定」にカーソルを合せて決定ボタンが押下されたときに録画予約設定が終了したものと判定する。録画予約設定が終了していれば（ステップＳ２６のＹ）ステップＳ２７に進み、録画予約設定が終了していなければ（ステップＳ２６のＮ）ステップＳ２５に戻る。
【００６２】
なお、録画予約設定が終了していない場合の戻り先はステップＳ２５に限られるものではなく、ステップＳ２２に戻ることとしてもよい。また、図８に示す設定画面において「キャンセル」が押下された場合には録画予約の設定自体がキャンセルされたものとして設定画面の表示を終了することとすればよい。
【００６３】
ステップＳ２７においてステップＳ２６の録画予約に係る（録画番組の保存先の）記憶媒体の時間帯と選択可能な録画モードとの対応表を更新して記憶する。例えば本実施形態では１０：００〜１１：００の番組の録画先をＵＳＢＨＤＤ−１としており、新たに同時間帯においてＵＳＢＨＤＤ−１を保存先として録画予約設定を行う場合に選択可能な録画モードを示す対応表（例えば図９）を記憶する。
【００６４】
本実施形態によれば、初期状態の設定画面からユーザが記憶媒体を変更しても、変更した記憶媒体に基づいて選択可能な録画モードが制限される。従って高ビットレートの録画モードでの録画に対応していない記憶媒体で高ビットレートの録画が実行されないので、録画の失敗を防ぐことができる。
【００６５】
＜第４実施形態＞
本実施形態の録画装置１の制御部１６が実行する処理について図１０を参照して説明を行う。図１０は本実施形態の録画装置１の制御部１６が実行する処理の一例を示すフローチャートである。第３実施形態ではユーザにより記憶媒体が変更選択された場合に実行する処理について説明したが本実施形態ではユーザにより録画モードが変更選択された場合に実行する処理について説明する。
【００６６】
ステップＳ３１において制御部１６は録画予約を設定するための設定画面を表示する。設定画面を表示するまでの処理は上述した第２実施形態と同様である。
【００６７】
ステップＳ３２において制御部１６はステップＳ３１で表示した設定画面において録画モードの選択が変更されたか否かを判定する。例えば図６に示すように初期状態としてＡＥが選択されていたものをユーザがＤＲに変更した場合、録画モードの選択が変更されたと判定する。録画モードの選択が変更された場合（ステップＳ３２のＹ）はステップＳ３３に進み、記憶媒体の選択が変更されていない場合（ステップＳ３２のＮ）はステップＳ３６に進む。
【００６８】
ステップＳ３３において制御部１６の制限部１６４は記憶媒体選択部１６３により選択可能な記憶媒体を制限する。具体的には例えば１０：００〜１１：００に放送される番組の録画予約を設定するとすると、録画モードがＤＲに変更された場合は図３、図４及び図示しないその他の記憶媒体の時間帯と選択可能な録画モードとの対応表を参照して制限部１６４は記憶媒体選択部１６３により選択可能な録画モードを例えばＨＤＤ−２、ＨＤＤ−３、ＵＳＢＨＤＤ−２に制限する。
【００６９】
ステップＳ３４において制御部１６はＯＳＤ生成部１５を制御して、図１１に示すようにステップＳ３３において特定された選択可能な記憶媒体を設定画面に選択可能に表示する。選択が制限された記憶媒体に関しては図１１に示すように表示しないこととしてもよいし、グレイアウト表示して選択不能に表示することとしてもよい。選択不能に表示し、或いは非表示とすることでその録画モードを選択することができなくなるので録画の失敗を防ぐことができる。
【００７０】
ステップＳ３５において制御部１６はユーザの操作に基づいて記憶媒体選択部１６３が記憶媒体を選択したか否かを判定する。記憶媒体を選択していれば（ステップＳ３５のＹ）ステップＳ３６に進み、記憶媒体を選択していなければ（ステップＳ３５のＮ）ステップＳ３５に戻る。
【００７１】
ステップＳ３６において制御部１６は録画予約設定が終了したか否かを判定する。録画予約設定の終了は例えば図１１に示す設定画面において「確定」にカーソルを合せて決定ボタンが押下されたときに録画予約設定が終了したものと判定する。録画予約設定が終了していれば（ステップＳ３６のＹ）ステップＳ３７に進み、録画予約設定が終了していなければ（ステップＳ３６のＮ）ステップＳ３５に戻る。
【００７２】
なお、録画予約設定が終了していない場合の戻り先はステップＳ３５に限られるものではなく、ステップＳ３２に戻ることとしてもよい。また、図１１に示す設定画面において「キャンセル」が押下された場合には録画予約の設定自体がキャンセルされたものとして設定画面の表示を終了することとすればよい。
【００７３】
ステップＳ３７においてステップＳ３６の録画予約に係る（録画番組の保存先の）記憶媒体の時間帯と選択可能な録画モードとの対応表を更新して記憶する。例えば本実施形態で１０：００〜１１：００の番組の録画先をＨＤＤ−２とした場合には、新たに同時間帯においてＨＤＤ−２を保存先として録画予約設定を行う場合に選択可能な録画モードを示す対応表（例えば図１２）を記憶する。
【００７４】
本実施形態によれば、初期状態の設定画面からユーザが録画モードを変更しても、変更した録画モードに基づいて選択可能な記憶媒体が制限される。従って高ビットレートの録画モードでの録画に対応していない記憶媒体で高ビットレートの録画が実行されないので、録画の失敗を防ぐことができる。
【００７５】
＜第５実施形態＞
上記第３実施形態は設定画面において記憶媒体が変更選択された場合の処理を説明し、上記第４実施形態は設定画面において録画モードが変更選択された場合の処理を説明した。そして各実施形態のフローチャートのステップＳ２２、Ｓ３２において記憶媒体が選択変更されていない（ステップＳ２２のＮ）或いは録画モードが選択変更されていない（ステップＳ３２のＮ）と判定されたときにステップＳ２６、Ｓ３６に進むこととしているが、他方が選択変更されていないかを更に判定してからステップＳ２６、Ｓ３６に進むこととしてもよい。
【００７６】
本実施形態の録画装置１の制御部１６が実行する処理について図１３を参照して説明を行う。図１３は本実施形態の録画装置１の制御部１６が実行する処理の一例を示すフローチャートである。
【００７７】
ステップＳ４１において制御部１６は録画予約を設定するための設定画面を表示する。設定画面を表示するまでの処理は上述した第２実施形態と同様である。
【００７８】
ステップＳ４２において制御部１６はステップＳ４１で表示した設定画面において記憶媒体の選択が変更されたか否かを判定する。記憶媒体の選択が変更された場合（ステップＳ４２のＹ）は図７のステップＳ２３に進み、記憶媒体の選択が変更されていない場合（ステップＳ４２のＮ）はステップＳ４３に進む。
【００７９】
ステップＳ４３において制御部１６はステップＳ４１で表示した設定画面において録画モードの選択が変更されたか否かを判定する。録画モードの選択が変更された場合（ステップＳ４３のＹ）は図１０のステップＳ３３に進み、記憶媒体の選択が変更されていない場合（ステップＳ４３のＮ）は図１０のステップＳ３６（又は図７のステップＳ２６）に進む。
【００８０】
なお、本実施形態において制御部１６は録画予約設定が終了したか否かを判定するが録画予約設定が終了していなければステップＳ４２に戻る。
【００８１】
本実施形態によれば第３実施形態及び第４実施形態と同様の効果を奏する。
【００８２】
＜補足＞
上記各実施形態では同一時間帯に１の記憶媒体を保存先とする複数の録画予約が設定されている場合について説明したが、通信速度の減衰は複数の録画が重複した場合に限られるものではない。同一時間帯に１の記憶媒体を保存先とする録画予約が設定され、且つ、当該記憶媒体に保存されているコンテンツを再生したとき、言い換えれば同一時間帯に記憶媒体に対する書込と記憶媒体からの読込が重複した場合にも減衰する。
【００８３】
その場合、計測部１８は通信速度としては各記憶媒体にデータを書き込んだ際の書込速度に加えて、書き込んだデータを読み込む際の読込速度を計測する。また、制御部１６は制御部１６は各記憶媒体に単一のデータを書き込み或いは読み込むことで計測部１８に通信速度を計測させるのに加え、同時に複数のデータを書き込み或いは読み込むことで生じる通信速度の減衰を計測する。
【００８４】
制御部１６は録画番組が再生されることを考慮して、各記憶媒体の時間帯と選択可能な録画モードとの対応表をメモリ１７に記憶することで、録画中に録画番組が再生されても録画が失敗しない。また、録画装置１がイーサネット（登録商標）Ｉ／Ｆを備え、ＤＬＮＡのＤＭＳとして機能している場合には複数のＤＭＰからコンテンツ再生の要求がなされることを考慮して、各記憶媒体の時間帯と選択可能な録画モードとの対応表をメモリ１７に記憶することとしてもよい。
【００８５】
また、制御部１６は各記憶媒体において残り容量が少なく、録画モード選択部１６２が選択した録画モードでの録画が容量的に実行できない記憶媒体が存在する場合はその記憶媒体を選択可能な記憶媒体から除外することとしてもよい。また、記憶媒体選択部１６３が選択した記憶媒体では容量的に所定のビットレート以上の録画モードにより録画ができない場合には、所定のビットレート以上の録画モードを選択可能な録画モードから除外することとしてもよい。
【符号の説明】
【００８６】
１    録画装置
２    アンテナ
３    チューナ
４    圧縮・伸張回路
５    ＳＤコントローラ
６    ＳＤ  Ｉ／Ｆ
７    ＵＳＢコントローラ
８    ＵＳＢ  Ｉ／Ｆ
９    ＳＡＴＡコントローラ
１０    ＳＡＴＡ  ＩＦ
１１    ＰＡＴＡコントローラ
１２    ＰＡＴＡ  Ｉ／Ｆ
１３    光学ディスクドライブ
１４    ＯＳＤ生成部
１５    映像処理部
１６    制御部
１７    メモリ
１８    計測部
４１    デコーダ
４２    エンコーダ
１６１    録画予約設定部
１６２    録画モード選択部
１６３    記憶媒体選択部
１６４    制限部
【図１】
2015026886.tif 000003
【図２】
2015026886.tif 000004
【図３】
2015026886.tif 000005
【図４】
2015026886.tif 000006
【図５】
2015026886.tif 000007
【図６】
2015026886.tif 000008
【図７】
2015026886.tif 000009
【図８】
2015026886.tif 000010
【図９】
2015026886.tif 000011
【図１０】
2015026886.tif 000012
【図１１】
2015026886.tif 000013
【図１２】
2015026886.tif 000014
【図１３】
2015026886.tif 000015